【事件の表示】
　平成　７年特許願第　６３５６１号「３相永久磁石式回転電機」拒絶査定不服審判事件〔平成　８年　９月１７日出願公開、特開平　８−２４２５７２〕について、次のとおり審決する。
【結　論】
　本件審判の請求は、成り立たない。
【理　由】
第１．手続の経緯
　本件出願は、平成７年２月２８日の出願であって、平成１７年９月３０日付けで拒絶査定がなされ、これに対し、平成１７年１１月９日に拒絶査定不服審判の請求がなされるとともに、平成１７年１２月８日付けで手続補正がなされたものである。
　
第２．平成１７年１２月８日付けの手続補正についての補正却下の決定
［補正却下の決定の結論］
　平成１７年１２月８日付けの手続補正を却下する。
［理由］
１．補正後の本願発明
　本件補正により、特許請求の範囲の請求項１は、
「円板部とこの円板部の外周に一体に形成され直角方向に等ピッチで折り曲げた３ｎ本の磁極とを磁性体で形成した固定子鉄心
、及び
嵌合した
３ｎ／２本の
備え、前記励磁用巻線が嵌
、励
せずに隣
る固定
が交互に
　前記磁極の励磁用巻線より先端部で対向し所定間隙を設けて回転方向に所定対数のＮ極とＳ極を交互に配置した永久磁石により形成した回転子とを備えたことを特徴とする３相永久磁石式回転電機（但し、ｎは２以上の偶数とする）。」
　と補正された。
　
２．本件請求項１についての補正事項
　上記補正は、請求項１に記載した発明を特定するために必要な事項である「励磁用巻線」について、磁極の１個おきに「嵌合した」及び「３ｎ／２本の」との限定、並びに「固定子」について、「交互に配置された」との限定を付加するとともに、「固定鉄心において、」との記載を「固定鉄心、及び」と、「励磁用巻線を嵌合した」との記載を「励磁用巻線を備え、前記励磁用巻線が嵌合した」と、「前記磁極の１個おきに励磁用巻線」との記載を「励磁用巻線」と、「嵌合しないで前記隣接する」との記載を「嵌合せずに隣接する」と、「励磁されるようにした」との記載が「励磁される」と補正するものであって、特許法第１７条の２第４項第２号の特許請求の範囲の減縮及び第４号の明りょうでない記載の釈明を目的とするものに該当する。
　そこで、本件補正後の前記請求項１に記載された発明（以下「本願補正発明」という。）が特許出願の際独立して特許を受けることができるものであるか、即ち、特許法第１７条の２第５項において準用する同法第１２６条第５項の規定に適合するかについて、以下検討する。
　
３．引用刊行物
（１）原査定の拒絶の理由に引用された特開昭４９−４６１１２号公報（以下「引用刊行物１」という。）には、「小径小型モータ」と題して、図面とともに次の事項が記載されている。
・　「１は永久磁石から成るロータ、２は永久磁石１に対向しロータ軸６に平行な磁極部、３は磁極部２の延長上にあつて巻線４を有する第１継鉄部、５は複数の第１継鉄部を磁気的に結合する第２継鉄部を示す。巻線４による起電力は、磁極→空隙→ロータ→空隙→他磁極→第１継鉄部→第２継鉄部→第１継鉄部を経て磁路７を形成する。磁路７は磁性材にてロータ軸６に平行な部分と垂直部分にて構成され、しかも最短になる様に考慮されている。ロータ軸６に同期して回転する検出手段（図示されていない）によって検出された信号は、予め定められた順序に従つて巻線４に増巾された電力が印加される。巻線４による磁路７とロータ１の磁束が作用し合つてロータは設定方向に回転し、検出手段の信号の順序に従つた巻線Ａの通電により回転を持続する。」（２頁左上欄３ないし１６行）
・　「巻線４はロータ１の対向部外にある第１継鉄部に挿入されている為、巻線の占積は大きく、起磁力の増大によりロータの立ち上り特性を良好にしている。」（２頁右上欄５ないし７行）
・　また、第１図及び第２図には、第２継鉄部と、該第２継鉄部に直角方向に等ピッチで接続された３本の第１継鉄部と、所定幅に形成された３本の巻線とからなるステータ、及び磁極部と所定空隙を設けて配置された永久磁石からなるロータが示されている。
　
　これら記載事項及び図示内容を総合すると、引用刊行物１には、次の発明（以下「引用発明」という。）が記載されていると認めることができる。
　
「第２継鉄部とこの第２継鉄部に直角方向に等ピッチで接続された３本の延長上に磁極部がある第１継鉄部とを磁性材で形成した継鉄部、及び前記第１継鉄部のすべてに挿入された所定幅に形成した３本の巻線を備え、前記巻線が挿入された前記第１継鉄部が等ピッチに配置されたステータと、
　前記巻線が挿入された前記第１継鉄部の延長上にある磁極部で対向し所定空隙を設けて配置した永久磁石からなるロータとを備えた小径小型モータ。」
　
（２）　同じく、原査定の拒絶の理由に引用された特開平４−２００２５９号公報（以下「引用刊行物２」という。）には、「吸引・反発型電動機」と題して、図面とともに次の事項が記載されている。
・　「本発明は、従来のステッピングモーター、同期型サーボモーター、リニヤモーター等をブラシ化することで、価格低減・小型化が可能であって、且つ極微速から高速まで小さい電磁石で多数の電極片を形成可能であって、各種速度・精度の電動機を得る吸引・反発型電動機に間するものである。」（１頁右下欄９ないし１４行）
・　「第１実施例について第１図及び第２図を参考に説明すると、第１図において、・・・５はコイル、６，７はそのコイル５によって励磁されるところの互いに極性の異なる磁極片であって、固定子を構成する。１１は永久磁石よりなる回転子である。」（２頁左下欄１３ないし１６行）
・　「・・・第１１図は３相の磁石片例を示し、・・・」（３頁左上欄１０ないし１１行。なお、「磁石片」は「磁極片」の誤記と認める。）
・　また、第１、２及び１１図には、板部材の外周に一体に形成され直角方向に折り曲げた磁極片により固定子を構成する点が示されている。
　
（３）　同じく、原査定の拒絶の理由に引用された実願平４−５２５６６号（実開平６−１７３７８号）のＣＤ−ＲＯＭ（以下「引用刊行物３」という。）には、「ＰＭ型ステップモータ」と題して、図面とともに次の事項が記載されている。
・　「【００４４】
  図５は本考案に係るＰＭ型ステップモータの第２実施例を示すものであり、本実施例においては、回転子３に８つの磁極５が形成され、固定子４に６つの誘導磁極６が形成されている。そして、６つの誘導磁極６の１極おき（ひとつおき）に巻線１０ａ，１０ｂ，１０ｃが施されており、ＡＡ，ＢＢ，ＣＣの３相が形成されたている。」　
・　また、図５には、回転方向に４対のＮ極とＳ極とを交互に配置した永久磁石により形成した回転子が示されている。
　
４．　対比
（１）　本願補正発明と引用発明とを対比すると、以下の事項が明らかである。
　（ア）　後者の「第２継鉄部」は、その機能・作用からみて、前者の「円板部」に相当し、以下同様に、「延長上に磁極部がある第１継鉄部」は「磁極」に、「磁性材」は「磁性体」に、「継鉄部」は「固定子鉄心」に、それぞれ相当する。すると、後者の「第２継鉄部に直角方向に等ピッチで接続された３本の延長上に磁極部がある第１継鉄部」と、前者の「円板部の外周に一体に形成され直角方向に等ピッチで折り曲げた３ｎ本の磁極」とは、「円板部に直角方向に等ピッチで設けられた複数本の磁極」との概念で共通する。
　（イ）　後者の「巻線」は、その機能・作用からみて、前者の「励磁用巻線」に相当する。すると、後者の「第１継鉄部のすべてに挿入された所定幅に形成した３本の巻線」と、前者の「磁極の１個おきに嵌合した所定幅に形成した３ｎ／２本の励磁用巻線」とは、少なくとも「磁極に嵌合した所定幅に形成した複数本の励磁用巻線」との概念で共通する。
　（ウ）　後者の「巻線が挿入された第１継鉄部が等ピッチに配置された」態様と、前者の「励磁用巻線が嵌合した固定子磁極と、励磁用巻線を嵌合せずに隣接する磁極に嵌合した励磁用巻線によって励磁される固定子磁極とが交互に配置された」態様とは、少なくとも「励磁用巻線が嵌合した固定子磁極が等ピッチに配置された」との概念で共通する。
　（エ）　後者の「巻線が挿入された第１継鉄部の延長上にある磁極部で対向し」は、前者の「磁極の励磁用巻線より先端部で対向し」に相当し、以下同様に、「空隙」は「間隙」に、「永久磁石からなる」は「永久磁石により形成した」に、「ロータ」は「回転子」に、それぞれ相当する。
　（オ）　後者の「小径小型モータ」は、永久磁石を回転子とする回転電機であることから、前者の「３相永久磁石式回転電機」と、「永久磁石式回転電機」との概念で共通する。
　
　すると、本願補正発明と引用発明との一致点、相違点は以下のとおりとなる。
　
（２）　一致点
「円板部とこの円板部に直角方向に等ピッチで設けられた複数本の磁極とを磁性体で形成した固定子鉄心、及び前記磁極に嵌合した所定幅に形成した複数本の励磁用巻線を備え、前記励磁用巻線が嵌合した固定子磁極が等ピッチに配置された固定子と、
　前記磁極の励磁用巻線より先端部で対向し所定間隙を設けて配置した永久磁石により形成した回転子とを備えた永久磁石式回転電機。」
　
（３）　相違点
　（ア）　固定子鉄心の磁極に関して、本願補正発明のものは、円板部の「外周に一体に形成され」ており、そして「折り曲げ」ることにより構成されるものであるのに対し、引用発明のものは第２継鉄部と第１継鉄部とは別体であり、それらが接続されることにより構成されている点。
　（イ）　固定子磁極及び励磁巻線に関して、本願補正発明が「３ｎ本」「（但し、ｎは２以上の偶数とする。）」の磁極を有し、磁極の「１個おきに」「３ｎ／２本」の励磁巻線を備え、「励磁用巻線が嵌合した固定子磁極と、励磁用巻線を嵌合せずに隣接する磁極に嵌合した励磁用巻線によって励磁される固定子磁極とが交互に配置され」て「３相」を構成しているのに対し、引用発明のものは、第１継鉄部及び巻線の数は３本であり、第１継鉄部に巻線が嵌合された３本の磁極が等ピッチに配置されている点。
　（ウ）　回転子を形成する永久磁石に関して、本願補正発明が「回転方向に所定対数のＮ極とＳ極を交互に配置」しているものであるのに対し、引用発明のものは、永久磁石のＮ極とＳ極の配置関係が明確ではない点。
　　
５．上記相違点についての判断
（１）　相違点（ア）について
　引用刊行物２には、永久磁石からなる回転子を有する電動機において、板部材の外周に一体に形成され直角方向に折り曲げた磁極片により固定子を構成することが開示されている。そして、引用発明と引用刊行物２に記載された発明とは、いずれも永久磁石を回転子として有するモータに関する技術である点で共通する。
　すると、引用発明のものに、引用刊行物２に記載された発明を適用することにより、上記相違点（ア）に係る本願補正発明の構成を想到することは、当業者であれば容易になし得たことといえる。
　
（２）　相違点（イ）及び（ウ）について
　引用刊行物３には、永久磁石からなる回転子を有するステップモータにおいて、回転方向に４対のＮ極とＳ極とを交互に配置した永久磁石により形成された回転子と、６つの誘導磁極により形成された固定子とを有し、この６つの誘導磁極の１極おきに３本の巻線を施すことにより３相を形成することが開示されている。そして、引用発明と引用刊行物３に記載された発明とは、いずれも永久磁石を回転子として有するモータに関する技術である点で共通する。
　すると、引用発明において、引用刊行物３に記載された発明に基づき、回転子、固定子及び巻線の数及び配置・構造を変更し、上記相違点（イ）及び（ウ）に係る本願補正発明の構成とすることは、当業者であれば容易想到の範囲内のことというべきである。
　
（３）　そして、本願補正発明の全体構成により奏される効果も、引用刊行物１ないし３に記載された発明から当業者であれば予測し得る範囲のものである。
　
　したがって、本願補正発明は、引用刊行物１ないし３に記載された発明に基づいて、当業者が容易に発明をすることができたものであるから、特許法第２９条第２項の規定により特許出願の際独立して特許を受けることができないものである。
　
６．むすび
　以上のとおりであるから、本件補正は、特許法第１７条の２第５項において準用する同法第１２６条第５項の規定に違反するものであり、同法第１５９条第１項において準用する特許法第５３条第１項の規定により却下を免れない。
　
第３．本願発明について
１．本願発明
　平成１７年１２月８日付けの手続補正は上記のとおり却下されたので、本件出願の請求項１に係る発明（以下、同項記載の発明を「本願発明」という。）は、平成１７年７月１９日付け手続補正書の特許請求の範囲の請求項１に記載された事項により特定される、次のとおりのものである。
　
「円板部とこの円板部の外周に一体に形成され直角方向に等ピッチで折り曲げた３ｎ本の磁極とを磁性体で形成した固定子鉄心において、
　前記磁極の１個おきに所定幅に形成した励磁用巻線を嵌合した固定子磁極と、前記磁極の１個おきに励磁用巻線を嵌合しないで前記隣接する磁極に嵌合した励磁用巻線によって励磁されるようにした固定子磁極とにより構成した固定子と、
　前記磁極の励磁用巻線より先端部で対向し所定間隙を設けて回転方向に所定対数のＮ極とＳ極を交互に配置した永久磁石により形成した回転子とを備えたことを特徴とする３相永久磁石式回転電機（但し、ｎは２以上の偶数とする）。」
  　
２．刊行物
　原査定の拒絶の理由に引用された上記刊行物及びその開示事項は、前記「第２．３」に記載されたとおりである。
　
３．対比
　本願発明は、前記「第２」において検討した本願補正発明から、実質的に、「励磁用巻線」について、磁極の１個おきに「嵌合した」及び「３ｎ／２本の」との限定、並びに「固定子」について、「交互に配置された」との限定を省いたものである。
　そうすると、本願発明の構成を全て含み、さらに他の構成要件を付加したものに相当する本願補正発明が、前記「第２．４及び５」に記載したとおり、引用刊行物１ないし３に記載された発明に基づいて、当業者が容易に発明をすることができたものであるから、本願発明も、同様の理由により、引用刊行物１ないし３に記載された発明に基づいて、当業者が容易に発明をすることができたものである。
　
４．むすび
　以上のとおり、本願発明は、特許法第２９条第２項により特許を受けることができない。
　よって、結論のとおり審決する。